(57)【要約】【課題】再選別機構上における排塵選別を有効に行うことができるとともに、揺動選別機構から落下する一番物に対して行う風選別の選別能力をより向上させることができるコンバインを提供する。【解決手段】一番流穀板４２０は、機体後方側への仮想延長線ＸＬが再選別機構２４０の機体前後方向中央部より機体後方側において再選別機構２４０に交差するように、傾斜角が設定されている。このため、唐箕ファン３１０からの選別風が一番流穀板４２０に沿って吹き上げられ、再選別機構２４０の下方から上方へと吹き抜けることにより、再選別機構２４０上において脱穀物が二番物と排藁等の不要物とに選別され、不要物が機外へ排出される排塵選別が行われる。【選択図】図５
2009112281.tif 000002
【特許請求の範囲】
【請求項１】
脱穀部によって脱穀された脱穀物のうち一番物及び二番物をそれぞれ集約するように機体前後方向に並列配置された一番樋及び二番樋と、上下方向に関し前記脱穀部と前記一番樋及び前記二番樋との間に配置され且つ機体前後方向に一体的に揺動されるチャフシーブ機構及び再選別機構を含む揺動選別機構と、前記揺動選別機構の前方且つ下方に配置された唐箕ファンを有する風選別機構とを備え、前記一番樋が、側面視において後方へ行くに従って下方に位置するように傾斜された一番前方側傾斜板及び前記一番前方側傾斜板より後方側に位置し且つ側面視において後方へ行くに従って上方に位置するように傾斜された一番後方側傾斜板を有する一番樋本体と、前記一番後方側傾斜板の上面に載置され且つ後端側が前記一番後方側傾斜板を越えて後斜め上方へ延びる一番流穀板であって、前記一番樋本体に対してフリーな状態で前記揺動選別機構に支持された一番流穀板とを有するコンバインであって、
前記一番流穀板の機体後方側への仮想延長線が前記再選別機構の機体前後方向中央部より機体後方側において該再選別機構に交差するように、前記一番流穀板の傾斜角が設定されていることを特徴とするコンバイン。
【請求項２】
前記二番樋は、側面視において後方へ行くに従って下方に位置するように傾斜された二番前方側傾斜板及び前記二番前方側傾斜板より後方側に位置し且つ側面視において後方へ行くに従って上方に位置するように傾斜された二番後方側傾斜板を有する二番樋本体と、
前記二番後方側傾斜板の上面に載置され且つ後端側が前記二番後方側傾斜板を越えて後斜め上方へ延びる二番流穀板であって、前記二番樋本体に対してフリーな状態で前記揺動選別機構に支持された二番流穀板とを有し、
前記風選別機構は、前記一番後方側傾斜板及び前記二番前方側傾斜板の間に配置されたセカンドファンをさらに備え、
前記セカンドファンからの主選別風が、前記二番流穀板と共に前記再選別機構の機体後方側へ当たるように、前記セカンドファン、前記再選別機構、前記二番後方側傾斜板及び前記二番流穀板が配置されていることを特徴とする請求項１に記載のコンバイン。
【請求項３】
前記一番流穀板の上面には、前記一番後方側傾斜板に沿って前下方へ行くに従って前記一番後方側傾斜板から離間し、且つ、機体水平面より下方に延びるように傾斜された傾斜部が前記一番後方側傾斜板に沿って複数設けられていることを特徴とする請求項１又は２に記載のコンバイン。
【発明の詳細な説明】
【技術分野】
【０００１】
本発明は、脱穀部によって脱穀された脱穀物に対して風選別を行う風選別機構を備えたコンバインに関する。
【背景技術】
【０００２】
搬送される穀稈に対して脱穀処理を行う脱穀部と、前記脱穀部によって脱穀された脱穀物のうち一番物及び二番物をそれぞれ集約するように機体前後方向に沿って配置された一番樋及び二番樋と、機体前後方向に一体的に揺動するチャフシーブ機構及びストローラック機構等の再選別機構を備えた揺動選別機構と、前記揺動選別機構の前方且つ下方に配置された唐箕ファンを有する風選別機構とを備えたコンバインは従来から公知である（例えば、特許文献１参照）。
より具体的には、前記チャフシーブ機構は、前記フィードパンから送られてくる脱穀物を一番物として選別して前記一番樋へ漏下させるように構成されている。また、前記再選別機構は、前記チャフシーブ機構の穀稈搬送方向下流側に配置されており、前記チャフシーブ機構から送られてくる脱穀物を二番物及び不要物に選別し、二番物を前記二番樋に漏下させるとともに、排藁等の不要物を唐蓑ファンを有する風選別機構を用いて機外に排出するように構成されている。
【０００３】
ここで、一番樋は、側面視において後方へ行くに従って下方に位置するように傾斜された一番前方側傾斜板及び前記一番前方側傾斜板より後方側に位置し且つ側面視において後方へ行くに従って上方に位置するように傾斜された一番後方側傾斜板を有する一番樋本体と、前記一番後方側傾斜板の上面に載置され且つ後端側が前記一番後方側傾斜板を越えて後斜め上方へ延びる一番流穀板であって、前記一番樋本体に対してフリーな状態で前記揺動選別機構に支持された一番流穀板とを有し得る。
そして、唐箕ファンからの選別風によりチャフシーブ機構から漏下してきた被処理物のうち、穀粒とともに落下してきた籾殻等の不純物を一番流穀板に沿って吹き飛ばして、より高純度な穀粒を一番物として一番樋に集約させている。
一方、ストローラック機構から二番樋へ漏下する二番物に対しては、前記一番後方側傾斜板及び前記二番樋の間に配置されたセカンドファンを用いて風選別を行う構成も公知となっている。
【０００４】
しかしながら、従来のコンバインにおいては、再選別機構上に有効な選別風が届かず、風選別による十分な排塵選別を行うことができなかったり、再選別機構上に残った排藁等の不要物を唐箕ファンにより十分に吹き飛ばすことができない問題がある。
具体的には、従来のコンバインにおいては、一番流穀板の傾斜角度として一番流穀板上を一番物が自然流下する角度とされ、且つ、一番流穀板の機体後方側への仮想延長線が前記再選別機構の機体前後方向前端部近傍で交差するように構成されており、唐箕ファンからの選別風が一番流穀板に沿って上昇しても再選別機構上へは選別風が到達しない。
また、前記セカンドファンの主選別風は、二番樋の後方に配設された二番流穀板に向けられており、しかも、一番樋と二番樋との間にセカンドファンを配置する都合上、大きい回転径を有するファンは配置できないため、再選別機構上において風選別する程の風力が得られない。
このような上記問題に加えて、揺動選別機構から落下する一番物に対して行う風選別の選別能力をより向上させたい要請もある。
【特許文献１】特開２００６−１６６９２６号公報
【発明の開示】
【発明が解決しようとする課題】
【０００５】
本発明は、前記従来技術に鑑みなされたものであり、再選別機構上における排塵選別を有効に行うことができるとともに、揺動選別機構から落下する一番物に対して行う風選別の選別能力をより向上させることができるコンバインの提供を、一の目的とする。
【課題を解決するための手段】
【０００６】
本発明に係るコンバインは、前記目的を達成するためになされたものであり、脱穀部によって脱穀された脱穀物のうち一番物及び二番物をそれぞれ集約するように機体前後方向に並列配置された一番樋及び二番樋と、上下方向に関し前記脱穀部と前記一番樋及び前記二番樋との間に配置され且つ機体前後方向に一体的に揺動されるチャフシーブ機構及び再選別機構を含む揺動選別機構と、前記揺動選別機構の前方且つ下方に配置された唐箕ファンを有する風選別機構とを備え、前記一番樋が、側面視において後方へ行くに従って下方に位置するように傾斜された一番前方側傾斜板及び前記一番前方側傾斜板より後方側に位置し且つ側面視において後方へ行くに従って上方に位置するように傾斜された一番後方側傾斜板を有する一番樋本体と、前記一番後方側傾斜板の上面に載置され且つ後端側が前記一番後方側傾斜板を越えて後斜め上方へ延びる一番流穀板であって、前記一番樋本体に対してフリーな状態で前記揺動選別機構に支持された一番流穀板とを有するコンバインであって、前記一番流穀板の機体後方側への仮想延長線が前記再選別機構の機体前後方向中央部より機体後方側において該再選別機構に交差するように、前記一番流穀板の傾斜角が設定されていることを特徴とするものである。
【０００７】
上記構成のコンバインによれば、脱穀部によって脱穀された脱穀物がチャフシーブ機構及び再選別機構を含む揺動選別機構において揺動選別され、揺動選別機構から漏下した一番物及び二番物が一番樋及び二番樋に集約される。
一番樋に集約される一番物は、揺動選別機構から漏下した際、風選別機構の唐箕ファンからの選別風により風選別される。そして、一番樋本体の一番後方側傾斜板の上面に載置され且つ後端側が一番後方側傾斜板を越えて後斜め上方へ延びる一番流穀板上に落下した一番物は、揺動選別機構の揺動による一番流穀板の揺動により、一番樋本体最下部に集約される。
ここで、一番流穀板は、機体後方側への仮想延長線が再選別機構の機体前後方向中央部より機体後方側において再選別機構に交差するように、傾斜角が設定されている。このため、唐箕ファンからの選別風が一番流穀板に沿って吹き上げられ、再選別機構の下方から上方へと吹き抜けることにより、再選別機構上において脱穀物が二番物と排藁等の不要物とに選別され、不要物が機外へ排出される排塵選別が行われる。
【０００８】
このように、唐箕ファンからの選別風を再選別機構のより広い範囲に向けて吹き付けることにより、再選別機構上における排塵選別を前記選別風を用いた風選別により促進させることができる。また、従来に比べて一番流穀板の傾斜角が緩くなることにより、同じスペースでチャフシーブ機構との距離（落差）をより広げることができ、被処理物の落下時間を長くすることができるため、風選能力を向上させることができる。逆に、チャフシーブ機構との距離を同じに保ったまま、風選別機構の上下幅をより小さくすることができるため、風選能力を保持しつつコンバインを小型化することもできる。
【０００９】
好ましくは、前記二番樋は、側面視において後方へ行くに従って下方に位置するように傾斜された二番前方側傾斜板及び前記二番前方側傾斜板より後方側に位置し且つ側面視において後方へ行くに従って上方に位置するように傾斜された二番後方側傾斜板を有する二番樋本体と、前記二番後方側傾斜板の上面に載置され且つ後端側が前記二番後方側傾斜板を越えて後斜め上方へ延びる二番流穀板であって、前記二番樋本体に対してフリーな状態で前記揺動選別機構に支持された二番流穀板とを有し、前記風選別機構は、前記一番後方側傾斜板及び前記二番前方側傾斜板の間に配置されたセカンドファンをさらに備え、前記セカンドファンからの主選別風が、前記二番流穀板と共に前記再選別機構の機体後方側へ当たるように、前記セカンドファン、前記再選別機構、前記二番後方側傾斜板及び前記二番流穀板が配置されている。
【００１０】
この場合、二番樋に集約される二番物は、揺動選別機構から漏下した際、一番樋と二番樋との間に配置された風選別機構のセカンドファンからの選別風により風選別される。そして、二番樋本体の二番後方側傾斜板の上面に載置され且つ後端側が二番後方側傾斜板を越えて後斜め上方へ延びる二番流穀板上に落下した二番物は、揺動選別機構の揺動による二番流穀板の揺動により、二番樋本体最下部に集約される。
このように、再選別機構から落下した二番物に対して、セカンドファンからの送風により二番流穀板上で二次選別を行うことにより、二番樋を介して再び揺動選別機構に還元される二番物の量を減らし、精選率を高めることができる。
【００１１】
好ましくは、前記一番流穀板の上面には、前記一番後方側傾斜板に沿って前下方へ行くに従って前記一番後方側傾斜板から離間し、且つ、機体水平面より下方に延びるように傾斜された傾斜部が前記一番後方側傾斜板に沿って複数設けられている。
【００１２】
この場合、一番流穀板の上面に落下した一番物が一番流穀板の揺動によってより前下方へ移動した際、一番流穀板の上面に複数設けられた傾斜部が一番後方側傾斜板に沿って前下方へ行くに従って一番後方側傾斜板から離間し、且つ、機体水平面より下方に延びるように傾斜されているため、一番物を傾斜面を越えて容易に前下方に移動させる一方で、当該傾斜部により、一番物が後上方へ戻ることを防止する。
このように、一番流穀板が揺動することにより、一番物が一番樋本体の最下部へ向けて半強制的に搬送されるため、一番樋における一番物の集約を迅速に行うことができ、選別能力を向上させることができる。
【発明の効果】
【００１３】
本発明に係るコンバインによれば、唐箕ファンからの選別風を再選別機構のより広い範囲に向けて吹き付けることにより、再選別機構上における排塵選別を前記選別風を用いた風選別により促進させることができる。また、従来に比べて一番流穀板の傾斜角が緩くなることにより、同じスペースでチャフシーブ機構との距離（落差）をより広げることができ、被処理物の落下時間を長くすることができるため、風選能力を向上させることができる。逆に、チャフシーブ機構との距離を同じに保ったまま、風選別機構の上下幅をより小さくすることができるため、風選能力を保持しつつコンバインを小型化することもできる。
【発明を実施するための最良の形態】
【００１４】
以下に、本発明に係るコンバインの好ましい一実施形態について、添付図面を参照しつつ説明する。
図１〜図３に、それぞれ、本発明の一実施形態におけるコンバイン１の右側面図、左側面図及び正面図を示す。また、図４に、前記コンバイン１の伝動模式図を示す。
【００１５】
前記コンバイン１は、図１〜図４に示すように、本機フレーム２と、前記本機フレーム２に支持された駆動源９と、前記本機フレーム２に連結された左右一対のクローラ式走行装置１０と、前記駆動源９からの回転動力を変速して前記一対のクローラ式走行装置１０へ出力するトランスミッション３と、前記本機フレーム２の前方において該本機フレーム２に昇降可能に支持された刈取・搬送装置３０と、前記刈取・搬送装置３０によって刈り取られた穀稈を前記本機フレーム２の左側方において後方へ搬送するフィードチェーン装置２０と、前記フィードチェーン装置２０によって搬送される穀稈に対して脱穀処理を行い、且つ、脱穀された脱穀物から穀粒を選別する脱穀選別装置１００と、前記本機フレーム２の右前方部分に配設された運転席５と、前記脱穀選別装置１００によって選別された穀粒を収容するグレンタンク６であって、前記運転席５の後方に配設されたグレンタンク６と、前記フィードチェーン装置２０から脱穀後の排藁を受け継ぎ、該排藁を後方へ搬送する排藁搬送装置４０と、前記排藁搬送装置４０によって機体後方側へ搬送された排藁を切断する排藁切断装置５０とを備えている。
【００１６】
前記刈取・搬送装置３０は、穀稈を刈り取る刈取部３１と、該刈取部３１によって刈り取られた穀稈を前記フィードチェーン装置２０へ搬送する搬送部３６とを備えている。
前記刈取部３１は、引起ケース及び引起タインを含む引起機構３２と、前記引起ケースの下方部から前方へ突出された分草板３３と、前記引起ケースの後方に配設された刈刃３４とを有している。
前記搬送部３６は、上部搬送機構及び縦搬送機構を含み、刈り取られた穀稈の株元を前記フィードチェーン装置２０へ受け継ぐように構成されている。
【００１７】
図５に、図１に示すコンバイン１の左側板を取り外した状態における側面図を示す。
前記脱穀選別装置１００は、図５に示すように、前記フィードチェーン装置２０によって後方へ搬送される穀稈に対して脱穀処理を行う脱穀部１１０と、該脱穀部１１０の下方に配設され、該脱穀部１１０によって脱穀され且つ流下する脱穀物から穀粒を選別する選別部２００とを備えている。
【００１８】
前記脱穀部１１０は、図４及び図５に示すように、脱穀機枠によって画される扱室１２０と、該扱室１２０内において機体前後方向に沿った回転軸回りに回転駆動される扱胴１３０と、該扱胴１３０の下方に配設された扱胴受網（図示せず）とを備えている。
【００１９】
前記フィードチェーン装置２０は、穀稈の穂先が前記扱胴１３０によって脱穀処理される状態で、該穀稈を後方へ搬送するように構成されている。
前記グレンタンク６は、前記脱穀装置１００によって選別され且つ下記一番樋４００に集約された一番物を貯留するように構成されている。
詳しくは、前記一番樋４００に集約された一番穀粒は、一番搬送コンベア１１及び揚穀コンベア１２（図４参照）を介して、前記グレンタンク６内に搬入される。
なお、該グレンタンク６内に貯留された穀粒は、図１〜図４に示すように、該グレンタンク６の底部に設けられた下部コンベア６ａと、該下部コンベア６ａから穀粒を受け継いで上方へ搬送するように縦排出オーガ７内に内挿された縦コンベア６ｂと、前記縦コンベア６ｂから穀粒を受け継ぐように横排出オーガ８に内挿された排出コンベア６ｃとを介して、外部に排出されるようになっている。
【００２０】
前記排藁搬送装置４０は、図４に示すように、前記扱胴１３０を駆動する扱胴駆動軸１３１を介して伝達される動力によって駆動され、前記フィードチェーン装置２０から排藁の株元を受け継ぐ株元搬送チェーン機構４１と、前記株元搬送チェーン機構４１より機体前方側において該株元搬送チェーン機構４１と略平行に配設され、該株元搬送チェーン機構４１と同期駆動された状態で排藁の穂先側を搬送する補助搬送機構４２とを有している。
【００２１】
前記選別部２００は、図５に示すように、揺動軸２０１（図４参照）の回転に伴って揺動することで、前記脱穀部１１０によって脱穀された脱穀部に対して比重選別を行う揺動選別機構２１０と、前記揺動選別機構２１０の前方且つ下方に配置された唐箕ファン３１０を有し、前記揺動選別機構２１０に対して選別風を送出する風選別機構３００と、前記脱穀部１１０によって脱穀された脱穀物のうち一番物及び二番物をそれぞれ集約するように機体前後方向に並列配置された一番樋４００及び二番樋４５０とを有している。前記一番樋４００は、前記揺動選別機構２１０の下方に配設され、前記二番樋４５０は、前記揺動選別機構２１０の下方で且つ前記一番樋４００の後方に配設されている。
【００２２】
前記揺動選別機構２１０は、左右一対の揺動側板２１１と、前記脱穀部１１０から流下される脱穀物を受け止めるように前記一対の揺動側板２１１の間に配設されたフィードパン２２０と、前記脱穀部１１０から流下する脱穀物及び前記フィードパン２２０から送られてくる脱穀物を受け、該脱穀物から穀粒を揺動選別するように前記一対の揺動側板２１１の間に配設されたチャフシーブ機構２３０と、前記チャフシーブ機構２３０の後方に直列配置するように前記一対の揺動側板２１１の間に配設された再選別機構２４０とを有しており、上下方向に関し前記脱穀部１１０と前記一番樋４００及び二番樋４５０との間に配置され且つ機体前後方向に一体的に揺動される。
なお、図５においては、前記揺動選別機構２１０の内部構造を明らかにするために、左側の揺動側壁２１１を削除している。
【００２３】
前記フィードパン２２０は、前記脱穀部１１０から流下される脱穀物を機体幅方向に拡散させつつ、前記チャフシーブ機構２３０へ向けて機体後方側へ搬送するように構成されている。
具体的には、該フィードパン２２０は上面が波状に形成された板体とされている。
【００２４】
図５に示すように、前記チャフシーブ機構２３０は、前記脱穀部１１０から流下する脱穀物及び前記フィードパン２２０から送られてくる脱穀物に対して比重選別を行い、該脱穀物の一部を下方に位置する前記一番樋４００に一番物として流下させるように構成されている。
【００２５】
前記チャフシーブ機構２３０は、前記一対の揺動側板２１１の間において機体幅方向に延びる複数のフィン２３１であって、間隔を存しつつ機体前後方向に並設された複数のフィン２３１を有しており、比重選別される穀粒が前記間隔を通って、下方に配置される前記一番樋４００へ落下するようになっている。
なお、前記複数のフィン２３１は、下端部が上端部よりも機体前方側に位置する後傾斜状態で、それぞれ機体幅方向に沿った枢支軸回りに一体的に揺動可能とされており、駆動機構（図示せず）によって傾斜角を変更することで、前記間隔の開口幅が調整可能とされている。
【００２６】
前記再選別機構２４０は、前記チャフシーブ機構２３０から送られてくる脱穀物に対して比重選別を行い、該脱穀物の一部を下方に位置する前記二番樋４５０に二番物として流下させるとともに、該脱穀物のうち排藁等の大きな不要物を機外に搬送するように構成されている。
本実施の形態においては、該再選別機構２４０として、ストローラック機構が用いられている。
【００２７】
前記ストローラック機構２４０は、板面が略垂直に沿った状態で機体前後方向に延びる複数の板状部材２４１であって、間隔を存しつつ機体幅方向に並設された複数の板状部材２４１を有しており、前記間隔を介して、前記脱穀物のうち枝梗付き穀粒や穂切れ粒等の小さな脱穀物を二番物として前記二番樋４５０へ落下させるようになっている。
なお、前記複数の板状部材２４１は、それぞれ、上面が波状に形成されており、これにより、排藁等の大きな不要物の後方への搬送を促進させている。
【００２８】
なお、本実施形態においては、前記揺動選別機構２１０は、上下方向に関し前記チャフシーブ機構２３０と前記一番樋４００との間にグレンシーブ機構２５０を有している。該グレンシーブ機構２５０は、前記チャフシーブ機構２３０から流下する選別物をさらに精選するものであり、例えば、網状体によって形成される。
【００２９】
前記一番樋４００は、前記選別部２００によって選別処理された一番物を集約し得るように前記揺動選別機構２１０の下方に配設された側面視凹状とされている。
詳しくは、図４及び図５に示すように、前記一番樋４００は、一番樋本体４１０と、該一番樋本体４１０とは別体とされた一番流穀板４２０とを備えている。
【００３０】
前記一番樋本体４１０は、一体形成されている。
具体的には、該一番樋本体４１０は、側面視において後方へ行くに従って下方に位置するように傾斜された一番前方側傾斜板４１１と、前記一番前方側傾斜板４１１より後方側に位置し且つ側面視において後方へ行くに従って上方に位置するように傾斜された一番後方側傾斜板４１２とを一体的に有しており、前記一番前方側傾斜板４１１及び前記一番後方側傾斜板４１２によって画される側面視凹状の一番集約空間４００Ｓに一番物を集約させ得るように構成されている。
なお、該一番集約空間４００Ｓには、機体幅方向に沿って前記一番コンベア１１（図４参照）が配設される。
【００３１】
前記一番流穀板４２０は、前端側が前記一番後方側傾斜板４１２の上面に載置され且つ後端側が前記一番後方側傾斜板を越えて後斜め上方へ延び、前記一番樋本体に対してフリーな状態で前記揺動選別機構２１０に脱着可能に支持されている。
詳しくは、該一番流穀板４２０は、図５に示すように、前記一番流穀板４２０の機体後方側への仮想延長線ＸＬが前記再選別機構（ストローラック機構）２４０の機体前後方向中央部より機体後方側において該再選別機構２４０に交差するように、傾斜角が設定されている。
本実施形態においては、前記仮想延長線ＸＬは、前記再選別機構２４０の機体後端部と交差している。
【００３２】
本実施形態においては、前記一番流穀板４２０は、前記一対の揺動側板２１１に着脱自在に連結されており、前記揺動選別機構２１０の機体前後方向の揺動に伴って機体前後方向に揺動されるように構成されている。
詳しくは、前記一番流穀板４２０は、少なくとも後端部が前記一番後方側傾斜板４１２より後方斜め上方へ延在した状態で該一番後方側傾斜板４１２と略平行となるように、取付ステーを介して前記揺動側板２１１に着脱自在に連結された剛性の一番流穀板本体４２１と、少なくとも前端側が前記一番後方側傾斜板４１２の内面に載置されるように前記一番流穀板本体４２１に連結された弾性の一番弾性部材４２２とを有している。前記一番弾性部材４２２は、合成ゴム等により形成される。
【００３３】
前記二番樋４５０は、図５に示すように、前記選別部２００によって選別処理された二番物を集約し得るように前記揺動選別機構２１０の下方に配設された側面視凹状とされている。
詳しくは、前記二番樋４５０は、二番樋本体４６０と、該二番樋本体４６０とは別体とされた二番流穀板４７０とを備えている。
【００３４】
前記二番樋本体４６０は、一体形成されている。
具体的には、該二番樋本体４６０は、側面視において後方へ行くに従って下方に位置するように傾斜された二番前方側傾斜板４６１と、前記二番前方側傾斜板より後方側に位置し且つ側面視において後方へ行くに従って上方に位置するように傾斜された二番後方側傾斜板４６２とを一体的に有しており、前記二番前方側傾斜板４６１及び前記二番後方側傾斜板４６２によって画される側面視凹状の二番集約空間４５０Ｓに二番物を集約させ得るように構成されている。
なお、前記二番集約空間４５０Ｓには、機体幅方向に沿って二番コンベア１５（図４参照）が配設される。前記二番コンベア１５の搬送方向下流端部には、還元筒（図示せず）に内挿された状態で作動連結された二番還元コンベア１６（図４参照）が配設されており、前記二番樋４６０に集約された二番物を扱室１２０へ搬送し、再脱穀させるように構成されている。
【００３５】
前記二番流穀板４７０は、前記二番後方側傾斜板４６２の上面に載置され且つ後端側が前記二番後方側傾斜板４６２を越えて後斜め上方へ延び、前記二番樋本体４６０に対してフリーな状態で前記揺動選別機構２１０に脱着可能に支持されており、前記揺動選別機構２１０の機体前後方向の揺動に伴って機体前後方向に揺動されるように構成されている。
詳しくは、前記二番流穀板４７０は、少なくとも後端部が前記二番後方側傾斜板４６２より後方斜め上方へ延在した状態で該二番後方側傾斜板４６２と略平行となるように、取付ステーを介して前記揺動側板２１１に着脱自在に連結された剛性の二番流穀板本体４７１と、少なくとも前端側が前記二番後方側傾斜板４６２の内面に載置されるように前記二番流穀板本体４７１に連結された弾性の二番弾性部材４７２とを有している。前記二番弾性部材４７２は、合成ゴム等により形成される。
【００３６】
前記二番後方側傾斜板４６２は、図５に示すように、後端部が前記揺動選別機構２１０よりも下方位置で終焉している。詳しくは、該二番後方側傾斜板４６２は、後端部が前記再選別機構２４０よりも下方位置で終焉しており、背面視において該二番後方側傾斜板４６２の後端部と該再選別機構２４０との間にスペースが存するようになっている。
また、二番流穀板４７０は、後端部が前記再選別機構２４０の後端部と機体前後方向に関し略同一位置で終焉するように構成されている。これにより、前記再選別機構２４０から流下する二番物を効率よく前記二番集約空間４５０Ｓ内に集約させ得るようになっている。
【００３７】
次に、前記風選別機構３００について説明する。
前記風選別機構３００は、前記揺動選別機構２１０に対して選別風を送出するように構成されており、選別風によって該揺動選別機構２１０による穀粒の選別を促進させ得るようになっている。
具体的には、前記風選別機構３００は、図５に示すように、前記揺動選別機構２１０に対して前下方から後上方へ抜ける選別風を送出する唐箕ファン３１０を備えている。
【００３８】
前記唐箕ファン３１０は、前記チャフシーブ機構２３０の前方且つ下方において、機体幅方向に沿った唐箕ファン用駆動軸３１１によって回転駆動されるように構成されている。
具体的には、前記唐箕ファン３１０は、脱穀機枠の両側板と、後方が開口とされた唐箕ファンケース３２０とによって画される空間内に配設されており、後方且つ上方へ向けて選別風を送出し得るようになっている。
より詳しくは、該唐箕ファンケース３２０は、図５に示すように、前記唐箕ファン３１０を囲繞する唐箕ファンケース本体３２１と、前端部が該唐箕ファンケース本体３２１に流体接続され且つ後端部が斜め後方へ向けて開口された中空の風路ケース３２２とを有している。
なお、前記脱穀機枠の側板には、前記唐箕ファン３１０へ吸気させる吸入口が設けられている。
【００３９】
さらに、本実施の形態においては、図５に示すように、前記構成に加えて、前記揺動選別機構２１０より選別風の流れ方向上流側且つ前記グレンシーブ機構２５０より前下方の第１送風路３０１Ｐにおいて風向板３３０を有しており、前記唐箕ファン３１０からの選別風を、上方風及び下方風に分割し得るようになっている。
【００４０】
かかる風向板３３０を備えることにより、前記唐箕ファン３１０からの選別風を後述する前記再選別機構２４０上における風選別（排塵選別）に使用する上方風と、前記チャフシーブ機構２３０及びグレンシーブ機構２５０から落下する一番物に対する風選別に使用する下方風とに効率的に分割することができる。従って、前記上方風が前記一番物に対する風選別に影響されることなく、前記再選別機構２４０上における風選別を効果的に行うことができる。
【００４１】
本実施形態において、前記風選別機構３００は、前記唐箕ファン３１０からの選別風を前記グレンシーブ機構２５０の上側において前方から後方へ流し得る第２送風路３０２Ｐを有している。これにより、グレンシーブ機構２５０によって一番物から除去された二番物や他の脱穀物を機体後方へ効率よく風搬送することができる。
【００４２】
本実施形態において、前記風選別機構３００は、前記一番後方側傾斜板４１２及び前記二番前方側傾斜板４６１の間に配置されたセカンドファン３４０をさらに備え、前記セカンドファン３４０からの主選別風が、前記二番流穀板４７０とともに前記再選別機構２４０の機体後方側へ当たるように、前記セカンドファン３４０、前記再選別機構２４０、前記二番後方側傾斜板４６２及び前記二番流穀板４７０が配置されている。
前記セカンドファン３４０は、機体幅方向に沿ったセカンドファン用駆動軸３４１によって回転駆動されるように構成されている。
具体的には、前記セカンドファン３４０は、脱穀機枠の両側板と、前記一番後方側傾斜板４１２及び前記二番前方側傾斜板４６１の間が開口とされたセカンドファンケース３５０とによって画される空間内に配設されており、後上方へ向けて選別風を送出し得るようになっている。
なお、前記脱穀機枠の側板には、前記セカンドファン３４０へ吸気させる吸入口が設けられている。
【００４３】
加えて、前記風選別機構３００は、前記唐箕ファン３１０より前方且つ上下方向に関し前記フィードパン２２０と唐箕ファン３１０の間に配置されたプレヒートファン３６０を備えている。前記プレヒートファン３６０は、機体幅方向に沿ったプレヒートファン用駆動軸３６１によって回転駆動されるように構成されている。
具体的には、前記プレヒートファン３６０は、脱穀機枠の両側板と、前記フィードパン２２０及び前記唐箕ファンケース３２１の間が開口とされたプレヒートファンケース３７０とによって画される空間内に配設されており、後上方へ向けて選別風を送出し得るようになっている。
【００４４】
本実施形態において、前記風選別機構３００は、前記プレヒートファン３６０からの選別風を前記チャフシーブ機構２３０の上側において前方から後方へ流し得る第３送風路３０３Ｐを有している。これにより、チャフシーブ機構２３０によって一番物から除去された二番物や他の脱穀物を機体後方へ効率よく風搬送することができる。
【００４５】
上記構成のコンバイン１によれば、脱穀部１００によって脱穀された脱穀物がチャフシーブ機構２３０及び再選別機構２４０を含む揺動選別機構２１０において揺動選別され、揺動選別機構２１０から漏下した一番物及び二番物が一番樋４００及び二番樋４５０に集約される。
一番樋４００に集約される一番物は、揺動選別機構２１０から漏下した際、風選別機構３００の唐箕ファン３１０からの選別風により風選別される。そして、一番樋本体４１０の一番後方側傾斜板４１２の上面に載置され且つ後端側が一番後方側傾斜板４１２を越えて後斜め上方へ延びる一番流穀板４２０上に落下した一番物は、揺動選別機構２１０の揺動による一番流穀板４２０の揺動により、一番樋本体４１０の最下部の一番集約空間４００Ｓに集約される。
【００４６】
ここで、一番流穀板４２０は、機体後方側への仮想延長線ＸＬが再選別機構２４０の機体前後方向中央部より機体後方側において再選別機構２４０に交差するように、傾斜角が設定されている。このため、唐箕ファン３１０からの選別風が一番流穀板４２０に沿って吹き上げられ、再選別機構２４０の下方から上方へと吹き抜けることにより、再選別機構２４０上において脱穀物が二番物と排藁等の不要物とに選別され、不要物が機外へ排出される排塵選別が行われる。
【００４７】
このように、唐箕ファン３１０からの選別風を再選別機構２４０のより広い範囲に向けて吹き付けることにより、再選別機構２４０上における排塵選別を前記選別風を用いた風選別により促進させることができる。
また、本実施形態の一番流穀板４２０によれば、一番流穀板４２０の傾斜角が従来に比べて緩くなる。なお、図５において、従来のコンバインにおける一番流穀板の傾斜面を破線ＰＡとして示している。即ち、本実施形態の一番流穀板４２０の傾斜面（前記仮想延長線ＸＬ）と水平面との角度が前記破線ＰＡと水平面との角度に比べて小さくなっている。
これにより、同じスペースでチャフシーブ機構２３０及びグレンシーブ機構２５０との距離（落差）をより広げることができる。例えば、図５において、機体前後方向所定位置におけるチャフシーブ機構２３０と一番流穀板４２０との距離（一番物落下距離）Ｄ１は、従来のコンバインの同位置における一番物落下距離ＤＰより長くなっている。
従って、一番物落下距離を長くすることにより、被処理物の落下時間を長くすることができるため、揺動選別機構２１０から落下する一番物に対して行う風選別の風選能力を向上させることができる。逆に、チャフシーブ機構２３０及びグレンシーブ機構２５０との距離を同じに保ったまま、風選別機構３００の上下幅をより小さくすることができるため、風選能力を保持しつつコンバイン１を小型化することもできる。
【００４８】
本実施形態においては、前記一番流穀板４２０の上面には、前記一番後方側傾斜板４１２に沿って前下方へ行くに従って前記一番後方側傾斜板４１２から離間し、且つ、機体水平面より下方に延びるように傾斜された傾斜部４２３が前記一番後方側傾斜板４１２に沿って複数設けられている。また、前記傾斜部４２３の前端部と前記一番流穀板４２０の上面との間には、壁部４２４が形成されている。
【００４９】
図６に、図５の一番流穀板４２０における部分拡大図を示す。
本実施形態においては、前記傾斜部４２３は、合成ゴム等の弾性部材によって一番弾性部材４２２と一体形成されることにより、図５及び図６に示すように、一番弾性部材４２２の上面に設けられている。なお、前記傾斜部４２３は、一番弾性部材４２２と別体に形成されてもよい。また、一番弾性部材４２２に加えて又は代えて前記一番流穀板本体４２１の上面に設けられてもよい。
さらに、前記傾斜部４２３は、前記一番流穀板４２０の機体幅方向略全域にわたって延びているが、この限りではなく、機体幅方向に関して複数に分断されていてもよい。
【００５０】
図５及び図６に示すように、前記一番流穀板４２０の上面に複数設けられた傾斜部４２３が一番後方側傾斜板に沿って前下方へ行くに従って一番後方側傾斜板から離間し、且つ、機体水平面より下方に延びるように傾斜されているため、前記一番流穀板４２０上に落下した一番物が一番流穀板４２０の機体前後方向の揺動によってより前下方へ移動すると、傾斜部４２３の傾斜角が機体水平面より下方に延びていることから一番物が傾斜部４２３を越えて容易に前下方に移動する。一方、一番流穀板４２０の揺動によって後上方への移動成分が生じても、当該傾斜部４２３の前端部と前記一番流穀板４２０の上面との段差（即ち、前記壁部４２４）により、一番物が後上方へ戻ることを有効に防止する。
なお、前記壁部４２４は、前端部から一番後方側傾斜板４１２に沿って後上方に行くに従って前記一番後方側傾斜板４１２から離間するような傾斜角や後端部から一番後方側傾斜板４１２に沿って前下方に行くに従って前記一番後方側傾斜板４１２から離間するような傾斜角としてもよいが、前記一番後方側傾斜板４１２（前記一番流穀板４２０）に対して略直交する角度とすることが好ましい。
【００５１】
以上のように、一番流穀板４２０が揺動することにより、一番物が一番樋本体４１０の最下部の一番集約空間４００Ｓへ向けて半強制的に搬送されるため、一番樋４００における一番物の集約を迅速に行うことができ、選別能力を向上させることができる。
【００５２】
また、二番樋４５０に集約される二番物は、揺動選別機構２１０から漏下した際、一番樋４００と二番樋４５０の間に配置された風選別機構３００のセカンドファン３４０からの選別風により風選別される。そして、二番樋本体４６０の二番後方側傾斜板４６２の上面に載置され且つ後端側が二番後方側傾斜板４６２を越えて後斜め上方へ延びる二番流穀板４７０上に落下した二番物は、揺動選別機構２１０の揺動による二番流穀板４７０の揺動により、二番樋本体４６０の最下部の二番集約空間４５０Ｓに集約される。
【００５３】
このように、再選別機構２４０から落下した二番物に対して、セカンドファン３４０からの送風により二番流穀板４７０上で二次選別を行うことにより、二番樋４５０を介して再び揺動選別機構２１０に還元される二番物の量を減らし、精選率を高めることができる。
本実施の形態においては、前述の通り、前記二番流穀板４７０も前記揺動選別機構２１０に連結されている。従って、前記二番流穀板４７０を無理に急傾斜形状とすることなく、二番物を確実に流下させることができる。
【００５４】
本実施の形態において、前記風選別機構３００は、さらに、前記唐箕ファン３１０からの選別風を吸引して機外に排出させるように、前記揺動選別機構２１０より上方に配置された吸引ファン５００を備えている。
【００５５】
前記吸引ファン５００は、機体幅方向に沿った回転軸５０１を有し、下方に位置する前記揺動選別機構２１０との間に機体前後に亘る開口空間５００Ｓが形成されるように配設されている。
【００５６】
さらに、前記風選別機構３００は、前記吸引ファン５００の上方及び下方をそれぞれ覆う上方ファンカバー部材５１０及び下方ファンカバー部材５２０を有している。
該上方ファンカバー部材５１０及び下方ファンカバー部材５２０は、互いに共働して、前記揺動選別機構２１０を向くように前記吸引ファン５００の機体前方側に位置する吸引口と、機外に連通するように前記吸引ファン５００の機体後方側に位置する排出口とを形成している。
即ち、前記吸引ファン５００は、左右の機体側壁と前記上方ファンカバー部材５１０及び前記下方ファンカバー部材５２０とによって画されるスペース内に収容されており、前記選別風を前記吸引口を介して吸引し、前記排出口から排出するようになっている。
【００５７】
前述のように、前記吸引ファン５００と前記揺動選別機構２１０との間に前記開口空間５００Ｓを設けることにより、前記唐箕ファン３１０からの選別風に乱流が発生することを有効に防止又は低減でき、前記揺動選別機構２１０の下方から上方へ抜けて、機外に排出される選別風流れを効果的に形成することができる。
【００５８】
ところで、前記開口空間５００Ｓを設けると、選別風の効果的な流れを形成し易い反面、前記揺動選別機構２１０から飛散する穀粒が該開口空間５００Ｓを介して機外に排出され、これにより、ロスが生じ易くなる。
また、前記吸引ファン５００の機体後方側に配設された前記排藁切断機構５０からの切り屑が前記開口空間５００Ｓを介して前記揺動選別機構２１０内に混入し、該揺動選別機構２１０における選別性能が低下するおそれがある。
【００５９】
この点に鑑み、本実施の形態においては、前記下方ファンカバー部材５２０に、背面視において前記開口空間５００Ｓの少なくとも一部を遮閉する弾性変形可能な弾性遮閉部材５３０と、前記弾性遮閉部材５３０より機体後方側に配設された剛性遮閉部材５４０とを備えている。
【００６０】
斯かる構成を備えることにより、以下の効果が奏される。
即ち、前記弾性遮閉部材５３０によって、飛散する穀粒を該前記二番樋４５０に流下させることができ、穀粒ロスの低減を図ることができる。さらに、前記弾性遮閉部材５３０は、弾性変形可能な部材によって形成されているため、前記揺動選別機構２１０によって機外へ搬送される排藁等の不要物量が多い場合であっても、該弾性遮閉部材５３０が撓むことにより、目詰まりも防止される。
なお、斯かる弾性遮閉部材５３０は、前記作用を奏する限り、種々の材質によって形成され得るが、例えば、ゴムが好適に使用される。
【００６１】
また、本実施の形態においては、前記剛性遮閉部材５４０によって、機体後方側から前記揺動選別機構２１０内へ切り屑等の不要物が混入することを有効に防止でき、前記揺動選別機構２１０の選別性能を良好に維持することができる。
【００６２】
以上、本発明に係る実施形態を説明したが、本発明は上記実施形態に限定されるものではなく、その趣旨を逸脱しない範囲内で種々の改良、変更、修正が可能である。
例えば、前記再選別機構２４０として、前記ストローラック機構に代えて篩い式選別機構を採用することも可能である。また、本願発明の構成は、プレヒートファン３６０及び／又はセカンドファン３４０を設けない構成に適用しても有効である。
【図面の簡単な説明】
【００６３】
【図１】図１は、本発明の一実施形態におけるコンバインの右側面図である。
【図２】図２は、図１に示すコンバインの左側面図である。
【図３】図３は、図１に示すコンバインの正面図である。
【図４】図４は、図１に示すコンバインの伝動模式図である。
【図５】図５は、図１に示すコンバインの左側板を取り外した状態における側面図である。
【図６】図６は、図５の一番流穀板４２０における部分拡大図である。
【符号の説明】
【００６４】
１…コンバイン
１１０…脱穀部
２１０…揺動選別機構
２３０…チャフシーブ機構
２４０…再選別機構
３００…風選別機構
３１０…唐箕ファン
３４０…セカンドファン
４００…一番樋
４１０…一番樋本体
４１１…一番前方側傾斜板
４１２…一番後方側傾斜板
４２０…一番流穀板
４２３…傾斜部
４５０…二番樋
４６０…二番樋本体
４６１…二番前方側傾斜板
４６２…二番後方側傾斜板
４７０…二番流穀板
ＸＬ…仮想延長線
【図１】
2009112281.tif 000003
【図２】
2009112281.tif 000004
【図３】
2009112281.tif 000005
【図４】
2009112281.tif 000006
【図５】
2009112281.tif 000007
【図６】
2009112281.tif 000008